(57)【要約】      （修正有）【課題】端子がハウジングに対して意図せずに動くのを防ぐ電気コネクタを提供する。【解決手段】絶縁性ハウジング１０と複数の端子２０とを有し、絶縁性ハウジングは基部１１と舌状部１２とを有し、これらの端子は、挿入成形プロセスにより該絶縁性ハウジング内に装着され、該各端子は横方向に突出形成され、該舌状部に装入される第１、第２位置決めタブ２５，２６を設ける。【選択図】図４
0003149844.tif 000002
【実用新案登録請求の範囲】
【請求項１】
上面、底面、前面、後面、及び両側面を有する基部と、
該基部の該前面から突出形成され、上面、底面、前端、及び両側面を有する舌状部と
を有する絶縁性ハウジングと、
該絶縁性ハウジングの該舌状部と該基部内に装着された複数の端子と
を備える電気コネクタであって、
該各端子は、
該基部の底面に装着され、幅と厚みを有する接続端と、
該接続端から突出形成され、厚みと、両側面を有し該接続端より幅が広い部分と、両側面を有し該接続端より幅が狭い部分とを有する装入部と、
該装入部から突出形成され、該舌状部に装着され、厚みと、上面と、底面と、両側面とを有する接触端とを有し、
該接触端は
該接触端の一方の側から横方向に突出形成され、該舌状部に装入される１つ以上の第１位置決めタブと、
該接触端の他方の側から横方向に突出形成され、該舌状部に装入される１つ以上の第２位置決めタブとを更に有する電気コネクタ。
【請求項２】
前記基部は、該基部にその前面から後面に亘って形成され、それぞれ内面を有する複数の端子穴と、
該底面に形成され、該端子穴とそれぞれ連通する複数の端子スロットと
を有し、
前記端子は、それぞれ対応する該端子穴を通り、かつそれぞれ対応する該端子スロットに装着される請求項１に記載の電気コネクタ。
【請求項３】
前記舌状部は、その前端から該舌状部を縦に通って形成され、前記端子穴とそれぞれ連通する複数の端子チャネルを有し、該各端子チャネルは、対向する２つの内面を有し、前記端子は、それぞれ対応する該端子チャネルに装着される請求項２に記載の電気コネクタ。
【請求項４】
前記各端子の前記広い部分は、その両側面からそれぞれ外方へ横方向に突出し、対応する前記端子穴の内面に係合する２つの突起を更に有する請求項３に記載の電気コネクタ。
【請求項５】
前記各端子の前記狭い部分は、その両側面にそれぞれ形成され、対応する前記端子穴の内面と係合する２つの凹部を更に有する請求項４に記載の電気コネクタ。
【請求項６】
前記各端子チャネルは、
前記内面の１つに前記舌状部の上面に隣接して形成された１つ以上の第１埋め込みノッチと、
もう１つの内面に該舌状部の底面に隣接して形成された１つ以上の第２埋め込みノッチとを有し、
前記各端子の前記１つ以上の第１位置決めタブは、対応する該端子チャネルの該１つ以上の第１埋め込みノッチにそれぞれ装着され、
該各端子の前記１つ以上の第２位置決めタブは、対応する該端子チャネルの該１つ以上の第２埋め込みノッチにそれぞれ装着される請求項５に記載の電気コネクタ。
【請求項７】
前記各端子の前記第１、第２位置決めタブは、該端子の縦軸に沿って千鳥状に配列されている請求項６に記載の電気コネクタ。
【請求項８】
前記各端子の前記接触端と該装入部の厚みは、前記接続端の厚みより大きく、対応する前記端子穴は、該装入部と該接続端の間の境界を覆う請求項７に記載の電気コネクタ。
【請求項９】
前記基部は、
その両側面からそれぞれ突出形成された２つの装着部と、
該基部にその前面に隣接し上面から底面に亘って形成された２つの前取付け穴と、
該基部の両側面にそれぞれ形成された２つの外側取付けスロットと、
該装着部をそれぞれ貫通して形成された２つの後取付け穴と
を更に有し、
上部金属カバーが該基部の上面を覆い、該上部金属カバーは前縁と両側縁を有し、更に
該前取付け穴にそれぞれ装着される２つの前装着タブと、
該外側取付けスロットにそれぞれ装着される２つの外側装着タブと、
該後取付け穴にそれぞれ装着される２つの後装着タブと、
該上部金属カバー上に形成された２つのフック部材とを有し、
底部金属カバーが該基部の底面を覆い、該底部金属カバーは両側縁と、該両側縁に形成され該基部の該装着部にそれぞれ装着される２つのＵ字形装着フックとを有し、該各装着フックは貫通して形成され、該フック部材が引っかかるフック穴を有する請求項８に記載の電気コネクタ。
【考案の詳細な説明】
【技術分野】
【０００１】
本考案はコネクタに関し、特に絶縁性ハウジングと、該ハウジングに確実に保持されるよう幅が均一でない端子群とを有する電気コネクタに関する。
【背景技術】
【０００２】
電気コネクタは携帯電話、ノートパソコン等の電子装置において広く使用されている。例えば、ノートパソコンと周辺機器の間の通信は電気コネクタを介して行われる。
【０００３】
特許文献１に開示されているような標準電気コネクタは、電子装置に装着され高電圧信号と低電圧信号を送信可能な低電圧差動信号方式（ＬＶＤＳ）コネクタである。従来のＬＶＤＳコネクタは、絶縁性ハウジングと、複数の端子と、２つの金属シェルとを有する。これらの端子は、挿入成形プロセスにより該絶縁性ハウジング内にしっかりと装着される。該金属シェルは該絶縁性ハウジングを覆い該ハウジングをシールドし、ＬＶＤＳコネクタの構造強度を向上させる。
【０００４】
しかし、従来のＬＶＤＳコネクタの端子は絶縁性ハウジングによって安定的には保持されておらず、ＬＶＤＳコネクタを相手コネクタに何回か係合・取り外しすると、容易に緩み、絶縁性ハウジングから抜け出る又は抜け落ちる。
【０００５】
この欠点を克服するために、本考案は上記問題を緩和又は取り除く電気コネクタを提供するものである。
【先行技術文献】
【特許文献】
【０００６】
【特許文献１】米国特許第７，４３８，５９０号明細書
【考案の概要】
【考案が解決しようとする課題】
【０００７】
本考案の主な目的は、絶縁性ハウジングと、該ハウジングに確実に保持されるよう幅が均一でない端子群とを有する電気コネクタを提供することである。
【課題を解決するための手段】
【０００８】
本考案の電気コネクタは絶縁性ハウジングと複数の端子とを有する。この絶縁性ハウジングは基部と舌状部とを有する。これらの端子は、挿入成形プロセスにより該絶縁性ハウジング内に装着される。該各端子は、横方向に突出形成され、該舌状部に装入される第１、第２位置決めタブを有し、該端子が該絶縁性ハウジングに対して意図せずに動くのを防ぐ。
【図面の簡単な説明】
【０００９】
【図１】本考案の電気コネクタの斜視図である。
【図２】図１の電気コネクタの拡大斜視図である。
【図３】図１の電気コネクタの展開斜視図である。
【図４】図３の電気コネクタの上から見た拡大展開斜視図である。
【図５】図３の電気コネクタの下から見た拡大展開斜視図である。
【図６】図１の電気コネクタの拡大部分断面平面図である。
【図７】図１の電気コネクタの側断面図である。
【図８】図１の電気コネクタの端子の斜視図である。
【図９】図８の電気コネクタの端子の前面図である。
【図１０】図８の電気コネクタの端子の側面図である。
【図１１】図８の電気コネクタの端子の別の側面図である。
【図１２】図９の電気コネクタの端子の平面図である。
【考案を実施するための形態】
【００１０】
図１〜図３を参照すると、本考案の電気コネクタは低電圧差動信号方式（ＬＶＤＳ）コネクタであってもよく、絶縁性ハウジング（１０）と、複数の端子（２０）と、上部金属カバー（３０）と、底部金属カバー（４０）とを備える。
絶縁性ハウジング（１０）は、基部（１１）と舌状部（１２）とを有する。
【００１１】
図４、図５、図７を参照すると、基部（１１）は上面（１１１）、底面（１１２）、前面（１１３）、後面、両側面、複数の端子穴（１１４）、及び複数の端子スロット（１１５）を有する。
また２つの装着部（１１０）、２つの前取付け穴（１１６）、２つの外側取付けスロット（１１７）、及び２つの後取付け穴（１１８）を更に有してもよい。
端子穴（１１４）は基部（１１）に前面（１１３）から後面に亘って形成され、各端子穴（１１４）は内面を有する。
端子スロット（１１５）は底面（１１２）に形成され、それぞれ端子穴（１１４）と連通する。
装着部（１１０）は、それぞれ基部（１１）の側面から突出形成されている。
前取付け穴（１１６）は基部（１１）に上面（１１１）から底面（１１２）に亘って形成され、前面（１１３）に隣接している。
外側取付けスロット（１１７）は、それぞれ該側面に形成されている。
後取付け穴（１１８）は、それぞれ装着部（１１０）を貫通して形成されている。
【００１２】
舌状部（１２）は基部（１１）の前面（１１３）から前方に突出形成され、上面（１２１）、底面（１２２）、前端（１２３）、両側面、及び複数の端子チャネル（１２５）を有する。
端子チャネル（１２５）は、前端（１２３）から舌状部（１２）を縦に通って形成され、それぞれ基部（１１）の端子穴（１１４）と連通する。
各端子チャネル（１２５）は、対向する２つの内面（１２５１）と、１つ以上の第１埋め込みノッチ（１２６）と、１つ以上の第２埋め込みノッチ（１２７）とを有してもよい。
１つ以上の第１埋め込みノッチ（１２６）は、１つの内面（１２５１）に舌状部（１２）の上面（１２１）に隣接して形成されている。
第１埋め込みノッチ（１２６）は２つであってもよい。１つ以上の第２埋め込みノッチ（１２７）は、他の内面（１２５１）に舌状部（１２）の底面（１２２）に隣接して形成されている。第２埋め込みノッチ（１２７）は１つであってもよい。
【００１３】
図６、図８〜図１２を参照すると、端子（２０）は、挿入成形プロセスにより絶縁性ハウジング（１０）内にしっかりと装着され、それぞれ基部（１１）の対応する端子穴（１１４）を通り、かつそれぞれ舌状部（１２）の対応する端子スロット（１１５）、及び舌状部（１２）の対応する端子チャネル（１２５）に装着される。
各端子（２０）は接続端（２１）と、装入部と、接触端（２４）とを有する。
【００１４】
接続端（２１）は基部（１１）の底面（１１２）に装着され、半田又は配線でプリント回路板（ＰＣＢ）に接続されてもよい。
これにより本電気コネクタがそのＰＣＢ上に装着される。接続端（２１）は幅（Ｗ１）と厚み（Ｔ１）とを有する。
【００１５】
該装入部は接続端（２１）から突出形成され、厚み（Ｔ２）と、広い部分（２２）と、狭い部分（２３）とを有する。
広い部分（２２）は幅（Ｗ２）と、両側面と、２つの突起（２２１）とを有する。
広い部分（２２）の幅（Ｗ２）は接続端（２１）の幅（Ｗ１）より大きい。
突起（２２１）は先細で、広い部分（２２）の両側面から外方へ横方向に突出し、絶縁性ハウジング（１０）の対応する端子穴（１１４）に挿入成形プロセスにより装入されその内面に係合する。
狭い部分（２３）は広い部分（２２）に隣接し、幅（Ｗ３）と、両側面と、２つの凹部（２３１）とを有する。狭い部分（２３）の幅（Ｗ３）は接続端（２１）の幅（Ｗ１）より小さい。
凹部（２３１）は狭い部分（２３）の両側面に形成され、対応する端子穴（１１４）に装入されその内面と係合する。
【００１６】
接触端（２４）は該装入部から突出形成され（狭い部分（２３）から突出していてもよい）、舌状部（１２）の対応する端子チャネル（１２５）に装着され、本電気コネクタに対応する相手コネクタの端子と電気的に接触する。
接触端（２４）は厚み（Ｔ２）と、上面と、底面と、両側面と、１つ以上の第１位置決めタブ（２５）と、１つ以上の第２位置決めタブ（２６）とを有する。
接触端（２４）と該装入部の厚み（Ｔ２）は、接続端（２１）の厚み（Ｔ１）より大きい。
従って、対応する端子穴（１１４）は、図７に示すように、厚みが変わる該装入部と接続端（２１）の間の境界を覆い、端子（２０）が前後に動くのを防ぐ。
【００１７】
１つ以上の第１位置決めタブ（２５）は接触端（２４）の一方の側から横方向に突出形成され、舌状部（１２）に挿入され、対応する端子チャネル（１２５）の１つ以上の第１埋め込みノッチ（１２６）にそれぞれ装着される。
第１位置決めタブ（２５）は２つで、２つの第１埋め込みノッチ（１２６）にそれぞれ装着されてもよい。
【００１８】
１つ以上の第２位置決めタブ（２６）は接触端（２４）の他方の側から横方向に突出形成され、舌状部（１２）に装入され、１つ以上の第２埋め込みノッチ（１２７）にそれぞれ装着される。
第２位置決めタブ（２６）は１つで、１つの第２埋め込みノッチ（１２７）に装着されてもよい。また、第１、第２位置決めタブ（２５、２６）は、図１２に示すように端子（２０）の縦軸（Ｘ）に沿って千鳥状に配列される。
【００１９】
上部金属カバー（３０）は基部（１１）の上面（１１１）を覆い、前縁、両側縁、２つの前装着タブ（３１）、２つの外側装着タブ（３２）、２つの後装着タブ（３３）、及び２つのフック部材（３４）を有する。
前装着タブ（３１）は、それぞれ基部（１１）の前取付け穴（１１６）に装着される。
外側装着タブ（３２）は、それぞれ基部（１１）の外側取付けスロット（１１７）に装着される。
後装着タブ（３３）は、それぞれ後取付け穴（１１８）に装着される。
フック部材（３４）は上部金属カバー（３０）上に形成されている。
【００２０】
底部金属カバー（４０）は基部（１１）の底面（１１２）を覆い、両側縁、及び２つの装着フック（４１）を有する。装着フック（４１）はＵ字形で、それぞれ側縁に形成され、基部（１１）の装着部（１１０）に装着される。
各装着フック（４１）はフック穴（４４）を有する。フック穴（４４）は装着フック（４１）を貫通して形成され、上部金属カバー（３０）のフック部材（３４）が引っかかる。
【００２１】
本電気コネクタの端子（２０）は絶縁性ハウジング（１０）に挿入成形プロセスにより装着される。各端子（２０）の広い部分（２２）と狭い部分（２３）は、基部（１１）に装入され、端子（２０）が絶縁性ハウジング（１０）に対して前後に動くのを防ぐ。
また、各端子（２０）の第１、第２位置決めタブ（２５、２６）は、舌状部（１２）に装入され、端子（２０）が絶縁性ハウジング（１０）に対して上下に動くのを防ぐ。
従って、本電気コネクタと相手コネクタとの係合・取り外しを繰り返しても、端子（２０）が絶縁性ハウジング（１０）から意図せずに外れることはない。
本電気コネクタは堅固で、耐久性がある。
【符号の説明】
【００２２】
１０  絶縁性ハウジング
１１  基部
１２  舌状部
２０  端子
２１  接続端
２２  広い部分
２３  狭い部分
２４  接触端
２５  第１位置決めタブ
２６  第２位置決めタブ
３０  上部金属カバー
４０  底部金属カバー
１１１、１２１  上面
１１２、１２２  底面
１１３  前面
１１４  端子穴
１１５  端子スロット
１２３  前端
１２５  端子チャネル
１２６  第１埋め込みノッチ
１２７  第２埋め込みノッチ
【図１】
0003149844.tif 000003
【図２】
0003149844.tif 000004
【図３】
0003149844.tif 000005
【図４】
0003149844.tif 000006
【図５】
0003149844.tif 000007
【図６】
0003149844.tif 000008
【図７】
0003149844.tif 000009
【図８】
0003149844.tif 000010
【図９】
0003149844.tif 000011
【図１０】
0003149844.tif 000012
【図１１】
0003149844.tif 000013
【図１２】
0003149844.tif 000014